(57)【要約】【課題】電子カメラにおいて、使用者が選択している画質モードでは記録媒体の残り容量不足によって撮影できないが、他の画質モードでは撮影可能であることを使用者に警告表示できる電子カメラを安価に構成する事にある。【解決手段】記録媒体７と、画質モード選択手段１１と、画質モード表示手段９と、記録媒体に記録できる撮影可能コマ数を表示する撮影可能コマ数表示手段１５とを有し、選択されている画質モードで撮影可能コマ数が０で、他の画質モードを選択すれば記録可能なときに、他の画質モードが選択された時に点灯するマークを他の画質モードの撮影可能コマ数と同じ回数分点滅表示させる。【選択図】図１
2006287966.tif 000002
【特許請求の範囲】
【請求項１】
画像データを記録する記録媒体と、該記録媒体に記録する画質モードを少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、
選択された画質モードにおいて撮影可能コマ数が０の場合で、他の画質モードを選択すれば記録可能なときに、前記他の画質モードが選択された時に点灯するマークを前記他の画質モードの撮影可能コマ数と同じ回数分点滅表示させる点滅表示手段を備えたことを特徴とする電子カメラ。
【請求項２】
画像データを記録する記録媒体と、該記録媒体に記録する画質モードを少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、
選択された画質モードにおいて撮影可能コマ数が０の場合で、他の画質モードを選択すれば記録可能なときに、前記他の画質モードが選択された時に点灯するマークを前記他の画質モードの撮影可能コマ数と同じ回数分を周期的に点滅表示させる点滅表示手段を備えたことを特徴とする電子カメラ。
【発明の詳細な説明】
【技術分野】
【０００１】
本発明は、画像記録装置、特に電子カメラの表示手段に関する。
【背景技術】
【０００２】
電子カメラに用いる記録媒体には本体内蔵メモリー、カード型ハードディスク、メモリーカード等がある。
【０００３】
一般的に、電子カメラでは、低い画像圧縮率で記録する高画質モードと、高画質モードよりも比較的高い画像圧縮率で記録するノーマル画質モードの二つの画質モードを選択することができる。また、それぞれの画質モードによって画像圧縮率が異なるため、記録に必要とする記録媒体の使用容量が異なる。
【０００４】
従来技術として、一つの画質モードを選択すると、その画質モードを象徴する文字やマークをLCD 等に点灯表示し、さらに記録媒体の空き容量から、その画質モードにおける撮影可能コマ数を計算し、撮影可能コマ数をLCD 等に表示する方法が実際に用いられている。
【０００５】
なお、特許出願人が把握している特許文献は以下のものである。
【特許文献１】特開平６−１０５２１５号公報
【特許文献２】特開平２−２２２３８３号公報
【発明の開示】
【発明が解決しようとする課題】
【０００６】
しかし、従来技術手段だけでは、使用容量が異なる画質モードを切り換えられる電子カメラにおいて、例えば、１コマ記録する時の記録媒体の使用容量の少ないノーマル画質モードでは１枚撮影が可能であるが、使用容量の多い高画質モードでは撮影が不可能である場合に、選択している画質モードが使用容量の多い高画質モードの場合には、LCD に記録媒体の容量不足表示や撮影不可能表示をおこなうことになり、使用者には使用容量の少ないノーマル画質モードならば撮影が可能であるという事がわからない。
【課題を解決するための手段】
【０００７】
本発明は、かかる従来技術を解決することを目的とし、画像データを記録する記録媒体と、該記録媒体に記録する画質モードを少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、選択された画質モードにおいて撮影可能コマ数が０の場合で、他の画質モードを選択すれば記録可能なときに、前記他の画質モードが選択された時に点灯するマークを前記他の画質モードの撮影可能コマ数と同じ回数分点滅表示させる点滅表示手段を備えた電子カメラを提供する。
【０００８】
本発明の構成によれば、従来、記録媒体の使用容量の少ないノーマル画質モードでは１枚撮影が可能であるが、使用容量の多い高画質モードでは撮影が不可能な状態の時に、使用者が高画質モードを選択している場合には、LCD に記録媒体の容量不足表示をおこなうだけでは、使用者には使用容量の少ないノーマル画質モードならば撮影が可能であるという事がわからないといった問題が解消され、画質モードを変更することにより、撮影が可能となることが使用者に視覚的にわかるようになる。
【０００９】
また、撮影可能な前記他の画質モードを点滅表示させることで、視覚的にユーザーが判断でき、さらに、前記他の画質モードでの撮影可能コマ数を点滅の回数によって知らせる構成にして、他の画質モードでの撮影可能コマ数を使用者が容易に判断でき、これによって簡単に記録媒体の効率利用方法が使用者に認識できる。
【００１０】
さらに、本発明の他の電子カメラによれば、画像データを記録する記録媒体と、該記録媒体に記録する画質モードを少なくとも２種類から選択できる画質モード選択手段と、選択された画質モードであることをユーザーに表示する画質モード表示手段と、前記記録媒体に記録できる撮影可能コマ数を表示する撮影可能コマ数表示手段とを有した電子カメラにおいて、選択された画質モードにおいて撮影可能コマ数が０の場合で、他の画質モードを選択すれば記録可能なときに、前記他の画質モードが選択された時に点灯するマークを前記他の画質モードの撮影可能コマ数と同じ回数分を周期的に点滅表示させる点滅表示手段を備えた電子カメラとしてもよい。
【発明の効果】
【００１１】
以上説明したように本発明の構成ならびに方法によれば、従来の設定されている画質モードにおける記録可能コマ数を表示するだけの方法と比較して、表示素子を増やすことなく別の画質モードでは記録可能である表示が可能であり、使用者が記録可能な画質モードに切り換えることによって、若干の画質を損ないつつも撮影ができ、大切なシーンを撮り逃すことがなくなる。さらに部品点数および製造工数の増加がなくて済み、安価に構成する事が可能である。
【発明を実施するための最良の形態】
【００１２】
以下図面を用いて本発明の実施例を説明する。図１は本発明の実施例の構成の概略図であり、図２（ａ）（ｂ）は本発明の実施例のLCD 表示装置の表示例、図３（ａ）は２コマ記録可能時の画質モードマークの点滅周期例、図３（ｂ）は１コマ記録可能時の画質モードマークの点滅周期例である。１は撮影レンズ光学系及び撮像回路、２はADC （アナログディジタル変換器）、３は撮像回路に各種タイミングを与えるTG（タイミングジェネレータ）、４は画像データを一時的に格納するRAM 、５は画像処理をおこなう信号処理プロセッサ、６はカメラ全体の動作を制御するMPU(マイクロプロセッサユニット) 、７は画像データを記録する記録媒体、８は記録媒体7 の装着を検出するための記録媒体装着検出回路、９は画質モードや記録可能コマ数を表示する為のLCD表示装置、１０はカメラの電源スイッチであるメインパワースイッチ、１１は低圧縮率で画像を記録する高画質モードまたは高画質モードの３分の１の容量に画像を圧縮して記録するノーマル画質モードのどちらかを選択する為の画質モード選択スイッチ、１２は撮影のタイミングを与えるレリーズスイッチ、１３は高画質モードが選択されている時に点灯表示する高画質モードマーク、１４はノーマル画質モードが選択されている時に点灯表示するノーマル画質モードマーク、１５は装着されている記録媒体7 の容量より割り出した記録可能コマ数を表示する為の記録可能コマ数カウンターである。
【００１３】
つぎに、このような構成における動作について説明する。メインパワースイッチ１０をオンするとMPU ６は記録媒体７が装着されていることを記録媒体装着検出回路８から出力される信号によって検出し、記録媒体７の空き容量を信号処理プロセッサ５を通じて調査し、その空き容量をMPU ６の内部メモリに保存する。MPU ６は記録媒体７の空き容量より、二つの画質モードにおける記録可能コマ数を算出しMPU ６の内部メモリへそれぞれ保存する。記録可能コマ数算出後、MPU ６は、画質モード選択スイッチ１１で選択されている画質モードにしたがって内部メモリに保存されている記録可能コマ数を記録可能コマ数カウンター１５に表示する。また、MPU ６は、LCD 表示装置９に高画質モードが選択されている場合は高画質モードマーク１３を点灯表示させ、ノーマル画質モードが選択されている場合はノーマル画質モードマーク１４を点灯表示させる。画質モード選択スイッチ１１の状態が変更された場合、MPU ６は、選択された画質モードにしたがって、記録可能コマ数カウンター１５にその画質モードにおける記録可能コマ数を表示し、高画質モードが選択された場合は高画質モードマーク１３を点灯表示し、ノーマル画質モードが選択された場合はノーマル画質モードマーク１４を点灯表示する。高画質モードが選択されている時の表示例が図２（ａ）である。レリーズスイッチ１２がオンしたら、MPU ６がTG３をコントロールし撮像回路駆動用のタイミングパルスを出力させる。TG３がタイミングパルスを出力すると撮影レンズ光学系及び撮像回路１からアナログ映像信号を発生する。発生したアナログ映像信号はADC ２にてアナログ信号をディジタル信号に変換されディジタル映像信号となり、RAM ４へ一旦保存される。信号処理プロセッサ５がRAM ４に保存されているディジタル映像信号を規定のファイルフォーマットへの変換処理をおこない、記録媒体７へ記録する。記録した時点で、MPU は内部メモリに保存してある記録媒体７の空き容量から書込に使用した容量を差し引き再度保存する。また、二つの画質モードにおける記録可能コマ数を算出し、MPU ６の内蔵メモリに保存し直す。その後、MPU ６は、画質モード選択スイッチ１１で選択されている画質モードにしたがった内蔵メモリに保存されている記録可能コマ数を記録可能コマ数カウンター１５に表示する。
【００１４】
ノーマル画質モードは、高画質モードの３分の１の空き容量で１コマの画像を記録できるため、高画質モードでは撮影できない場合でもノーマル画質モードでは最高で２コマ撮影できる場合がある。したがって、画質モード選択スイッチ１１によって高画質モードが選択されており、撮影後に記録可能コマ数がゼロになった時、ノーマル画質モードでは２コマ撮影可能である。このとき、ノーマル画質モードでは２コマ撮影可能である事を使用者に知らせるためにMPU ６は点滅表示信号ｘをＬＣＤ表示装置に送信し、ノーマル画質モード表示１４を図２（ｂ）に示すように点滅させる。点滅は、図３（ａ）に示す点滅周期例の様に２回づつ周期的に点滅させる。点滅の回数はその画質モードに変更した場合の撮影可能コマ数を表している。さらに、この後使用者がノーマル画質モードに変更し１コマ撮影後に再度高画質モードに変更した場合はノーマル画質モードでの撮影可能コマ数は１コマとなっているのでMPU ６は、ノーマル画質モードマークを図３（ｂ）の点滅周期例の様に周期的に１回点滅する。
【図面の簡単な説明】
【００１５】
【図１】本発明の実施例の全体構成の概略図である。
【図２】（ａ）は本発明の実施例のLCD 表示装置の表示例、（ｂ）はLCD 表示装置の表示例である。
【図３】（ａ）は２コマ記録可能時の画質モードマークの点滅周期例、（ｂ）は１コマ記録可能時の画質モードマークの点滅周期例である。
【符号の説明】
【００１６】
１  撮影レンズ光学系及び撮像回路
２  ＡＤＣ
３  ＴＧ
４  RAM
５  信号処理プロセッサ
６  MPU
７  記録媒体
８  記録媒体装着検出回路
９  ＬＣＤ表示装置
１０  メインパワースイッチ
１１  画質モード選択スイッチ
１２  レリーズスイッチ
１３  高画質モードマーク
１４  ノーマル画質モードマーク
１５  記録可能コマ数カウンター
ｘ  点滅表示信号（点滅表示手段）
【図１】
2006287966.tif 000003
【図２】
2006287966.tif 000004
【図３】
2006287966.tif 000005